(57)【要約】  本発明の携帯端末（１）は、撮影部（１９）と、撮影部（１９）によって撮影された被写体の画像を取得する画像取得部（２２）と、画像取得部（２２）によって取得された上記画像が、複数の撮影モードのいずれに適合した画像であるかを判定する撮影モード判定部（２４）とを備え、撮影部（１９）は、撮影モード判定部（２４）によって適合していると判定された撮影モードにより被写体を撮影する。これにより、被写体に対応した撮影モードに容易に切り換えられる携帯端末を提供できる。
2008149709.tif 000002
【特許請求の範囲】
【請求項１】
撮影手段と、
前記撮影手段によって撮影された被写体の画像を取得する画像取得手段と、
前記画像取得手段によって取得された前記画像が、複数の撮影モードのいずれに適合した画像であるかを判定する撮影モード判定手段とを備え、
前記撮影手段は、前記撮影モード判定手段によって適合していると判定された撮影モードにより被写体を撮影することを特徴とする携帯端末。
【請求項２】
前記撮影モード判定手段によって適合していると判定された撮影モードに、前記撮影手段の撮影モードを切り換える第１撮影モード切換手段を備えることを特徴とする請求項１に記載の携帯端末。
【請求項３】
前記撮影モード判定手段は、前記画像が前記複数の撮影モードのいずれに適合するかを、第２撮影モード切換手段によって順番に切り換えられる複数の撮影モードについて順次判定しており、
前記第２撮影モード切換手段は、前記撮影モード判定手段によって適合すると判定された撮影モードで、前記第２撮影モード切換手段による前記撮影手段の撮影モードの切り換えを停止することを特徴とする請求項１に記載の携帯端末。
【請求項４】
前記画像取得手段は、前記第２撮影モード切換手段によって撮影モードが切り換えられた前記撮影手段が撮影した被写体の画像を取得することを特徴とする請求項３に記載の携帯端末。
【請求項５】
前記画像取得手段によって取得された前記画像から、該画像に適合する撮影モードを判定するために用いる所定の認証範囲を切り出す認証範囲切出し手段を備えることを特徴とする請求項１〜４のいずれか１項に記載の携帯端末。
【請求項６】
前記画像取得手段によって取得された前記画像に対し、前記各撮影モードに対応したモードの後処理を行う撮影後処理手段と、
前記撮影モード判定手段によって適合していると判定された撮影モードに対応する後処理モードに、前記撮影後処理手段を切り換える撮影後処理切換手段とを備えていることを特徴とする請求項１〜５のいずれか１項に記載の携帯端末。
【請求項７】
前記撮影モード判定手段によって適合していると判定された撮影モードの種類をユーザに報知する報知手段を備えることを特徴とする請求項１〜６のいずれか１項に記載の携帯端末。
【請求項８】
前記撮影モード判定手段によって適合していると判定された撮影モードを記憶する記憶部を備え、
前記撮影手段は、次回撮影時に、前記記憶部に記憶された前記撮影モードにより被写体を撮影することを特徴とする請求項１〜７のいずれか１項に記載の携帯端末。
【請求項９】
複数の撮影モードを有し、該複数の撮影モードから選択した、１つの撮影モードによって被写体を撮影する撮影手段によって撮影された被写体の画像を取得する画像取得工程と、
前記画像取得工程において取得された前記画像が、前記複数の撮影モードのいずれに適合した画像であるかを判定する撮影モード判定工程とを含んでおり、
前記撮影モード判定工程において適合していると判定された撮影モードにしたがい、前記撮影手段によって被写体を撮影することを特徴とする携帯端末の制御方法。
【請求項１０】
請求項１〜８のいずれか１項に記載の携帯端末の前記各手段としてコンピュータを機能させるための携帯端末の制御プログラム。
【請求項１１】
請求項１０に記載の携帯端末の制御プログラムを記録したコンピュータ読取り可能な記録媒体。
【発明の詳細な説明】
【技術分野】
【０００１】
本発明は、被写体の種類を認識し、被写体に対応した撮影モードに自動的に切換わる携帯端末、携帯端末の制御方法、携帯端末の制御プログラムおよびこれを記録したコンピュータ読み取り可能な記録媒体に関するものである。
【背景技術】
【０００２】
従来から、被写体を撮影するための撮影手段を備えた携帯端末、例えば、ＰＤＣ（personal digital cellular）、ＰＨＳ（personal handyphone system）等の携帯電話機およびＰＤＡ（Personal Digital Assistant）等の携帯型情報端末装置は、被写体に応じて複数の撮影モードに切り換えることが可能であった。例えば、上記撮影モードとしては、文字を識別する文字読取りモード、バーコードを識別するバーコード読取りモード、人物や風景を撮影するデジタルカメラモード等が挙げられる。【０００３】
しかしながら、従来の携帯端末において、上記各撮影モードの切り換えは、上記撮影手段を起動させた後に、ユーザが手動で行う必要があった。また、従来の携帯端末は、一般に、上記撮影手段を起動させた場合、デフォルトの撮影モードで起動したり、前回使用した撮影モードで起動したりする。そのため、上記撮影手段を起動させたときの撮影モードと異なる撮影モードによって被写体を撮影したい場合には、ユーザが撮影モードを手動で切り換えなければならず、操作が煩雑であった。【０００４】
そこで、複数の撮影モードの切り換えを容易に行うための技術が特許文献１〜特許文献４に開示されている。【０００５】
例えば、特許文献１には、バーコードなどを併用した、夜景、スポーツ、マクロ等のシーン別サンプル画面をデジタルカメラで撮影し、撮影したサンプル画面に対応する撮影モードをデジタルカメラ内に自動的に設定する技術が開示されている。【０００６】
また、特許文献２には、デジタルカメラのストラップに着脱自在に装着された複数のバーコードのうち１つを、デジタルカメラで撮影し、読み込んだデータ別によりデジタルカメラに撮影モードを自動的に設定する技術が開示されている。【０００７】
また、特許文献３には、動作モード情報を含んだバーコードをビデオカメラ装置のカメラブロックを用いて取り込み、取り込んだコードデータに基づいて、装置の動作モードを所望のものに自動的に設定する技術が開示されている。【０００８】
また、特許文献４には、例えば、絞り情報や、シャッタースピード情報等を表わすバーコードをコード読取装置によって読み取り、読み取ったコード信号に対応するカメラ動作を行わせるためのプログラムをカメラ本体に自動的に設定する技術が開示されている。
【特許文献１】日本国公開特許公報「特開２００４−２２８７８４号（２００４年８月１２日公開）」
【特許文献２】日本国公開特許公報「特開２００４−２２８７８５号（２００４年８月１２日公開）」
【特許文献３】日本国公開特許公報「特開平５−１２０４６６号（１９９３年５月１８日公開）」
【特許文献４】日本国公開特許公報「特開平２−３１１８３０号（１９９０年１２月２７日公開）」
【発明の開示】
【０００９】
特許文献１〜特許文献３に開示された技術は、上述したように、複数の撮影モードのうち、１つの撮影モード情報を含んだバーコードを撮影手段によって撮影することにより、撮影モードの選択を行うものである。
【００１０】
また、特許文献４に開示された技術は、上述したように、カメラ動作のプログラムに対応するバーコードを読み取ることにより、所望のプログラムをカメラ本体に自動的に設定するものである。
【００１１】
すなわち、特許文献１〜特許文献４に開示された技術では、予め各撮影モードまたはカメラ動作のプログラムに応じたバーコード等を準備しておく必要があり、製造コストが高くなってしまう。さらに、特許文献１〜特許文献４に開示された技術では、ユーザは所望の撮影モードまたは所望のカメラ動作のプログラムに対応したバーコードを撮影手段等によって読み取る必要があり、操作が煩雑である。
【００１２】
本発明は、上記の問題点に鑑みてなされたものであり、その目的は、被写体に対応した撮影モードに容易に切り換えられる携帯端末、携帯端末の制御方法、携帯端末の制御プログラムおよびこれを記録したコンピュータ読み取り可能な記録媒体を提供することにある。
【００１３】
本発明に係る携帯端末は、上記課題を解決するために、撮影手段と、上記撮影手段によって撮影された被写体の画像を取得する画像取得手段と、上記画像取得手段によって取得された上記画像が、複数の撮影モードのいずれに適合した画像であるかを判定する撮影モード判定手段とを備え、上記撮影手段は、上記撮影モード判定手段によって適合していると判定された撮影モードにより被写体を撮影することを特徴としている。
【００１４】
上記構成により、被写体が文字、バーコード、カラーコード等のような特別な撮影モードにしなければ識別できない場合であっても、自動的に被写体を識別し、被写体に応じた撮影モードに上記撮影手段の撮影モードを容易に切り換えることが可能である。
【００１５】
具体的には、本発明の携帯端末は、上記撮影手段によって撮影された被写体の画像を上記画像取得手段が取得する。上記画像取得手段によって取得された上記画像は、撮影モード判定手段によって上記複数の撮影モードのいずれに適合した画像であるか判定される。そして、上記撮影手段は、上記撮影モード判定手段によって適合していると判定された撮影モードにより被写体を撮影する。
【００１６】
このように、本発明の携帯端末では、上記撮影モード判定手段が、上記画像取得手段によって取得される画像が、上記複数の撮影モードのいずれに適合するか判定することができるために、上記撮影手段は被写体に応じた撮影モードで被写体を撮影することが可能となる。
【００１７】
なお、上記撮影モードとしては、例えば、文字を識別する文字読取りモード、１次元バーコードおよび２次元バーコードを識別するバーコード読取りモード、人物や風景等を撮影するためのデジタルカメラモード、カラーコードを識別するカラーコード読取りモード等が挙げられる。
【００１８】
本発明のさらに他の目的、特徴、および優れた点は、以下に示す記載によって十分わかるであろう。また、本発明の利益は、添付図面を参照した次の説明で明白になるであろう。
【図面の簡単な説明】
【００１９】
【図１】携帯端末の主要部の第１実施形態の構成を示すブロック図である。
【図２】上記携帯端末の主要部の構成を示すブロック図である。
【図３】判定用画像データにおける認証範囲を示す図である。
【図４】各撮影モードと、判定用画像データを該各撮影モードに分類するための画像データの特徴を示す撮影モード判定情報とを対応付けた撮影モード判定テーブルを示す図である。
【図５】文字読取りモード、バーコード読取りモードおよびデジタルカメラモードの画角を示す図である。
【図６】第１実施形態の主要部を備えた携帯端末における処理手順の第１実施例を示すフローチャートである。
【図７】上記第１実施例の処理手順における「撮影モードの判定」の具体的な処理手順を示すフローチャートである。
【図８】第１実施形態の主要部を備えた携帯端末における処理手順の第２実施例を示すフローチャートである。
【図９】上記第２実施例の処理手順における「撮影モードの判定」の具体的な処理手順を示すフローチャートである。
【図１０】携帯端末の主要部の第２実施形態の構成を示すブロック図である。
【図１１】上記第２実施例の処理手順における「撮影モードの判定」の具体的な処理手順を示すフローチャートである。
【符号の説明】
【００２０】
１    携帯端末
１０  アンテナ部
１１  無線処理部
１２  音声処理部
１３  音声入力部
１４  音声出力部
１５  データ処理部
１６  操作部
１７  記憶部
１８  表示部（報知手段）
１９  撮影部
２０  電源部
２１  主制御部
２２  画像取得部（画像取得手段）
２３  認証範囲切出し部（認証範囲切出し手段）
２４  撮影モード判定部（撮影モード判定手段）
２５  撮影モード切換部（第１撮影モード切換手段、第２撮影モード切換手段、撮影後処理切換手段）
２６  撮影後処理部（撮影後処理手段）
２７  文字特定部
２８  １次元バーコード特定部
２９  ２次元バーコード特定部
３０  文字読取りモード後処理部
３１  バーコード読取りモード後処理部
３２  デジタルカメラモード後処理部
【発明を実施するための最良の形態】
【００２１】
以下、実施例および比較例により、本発明をさらに詳細に説明するが、本発明はこれらにより何ら限定されるものではない。【００２２】
本発明の一実施形態について図１〜図１１に基づいて説明すると以下の通りである。【００２３】
〔携帯端末の全体構成〕
まず、本発明に係る携帯端末１の全体構成について図２を参照して説明する。図２は携帯端末１の全体の概略構成を示すブロック図である。【００２４】
本実施形態の携帯端末１は、アンテナ部１０と、無線処理部１１と、音声処理部１２と、音声入力部１３と、音声出力部１４と、データ処理部１５と、操作部１６と、記憶部１７と、表示部（報知手段）１８と、撮影部（撮影手段）１９と、電源部２０と、主制御部２１とを備える構成である。【００２５】
上記携帯端末１は、例えば、携帯電話やＰＤＡ（Personal data assistant）等であり、携帯可能な構成の端末装置であればよい。【００２６】
図２に示すように、携帯端末１では、上述した各構成要素が主制御部２１に対し直接又は間接的に接続されている。そして、主制御部２１以外の構成要素は、携帯端末１の各種機能を行うものである。つまり、携帯端末１は、主制御部２１が構成要素によって行われる携帯端末１の各種機能を制御する構成である。【００２７】
以下に、携帯端末１の各種機能を行う構成要素について詳細に説明する。【００２８】
アンテナ部１０は、電波を外部に送り出すとともに外部から電波を受け取るためのものである。【００２９】
無線処理部１１は、音声処理部１２またはデータ処理部１５から受信したデータを無線送信に適した形式に変換し、変換した無線信号をアンテナ部１０を介して外部に送信するものである。また、無線処理部１１は、外部からアンテナ部１０を介して受信した無線信号を元の形式に変換し、変換したデータを音声処理部１２またはデータ処理部１５に送信するものである。具体的には、無線処理部１１では、チャネルコーデック処理、ベースバンド信号処理、データの変復調処理、ＲＦ（Radio Frequency）処理等が行われる。【００３０】
音声処理部１２は、音声入力部１３からの音声信号を所定の音声データに変換して無線処理部１１に送信するとともに、無線処理部１１からの音声データを音声信号に変換して音声出力部１４に送信するものである。具体的には、音声処理部１２は、Ａ／Ｄ変換器、Ｄ／Ａ変換器、アンプ、音声コーデック回路を備える構成である。【００３１】
音声入力部１３は、外部から入力された音波を、電気信号である音声信号に変換して音声処理部１２に送信するものである。具体的には、音声入力部１３はマイクロホンを備える構成である。【００３２】
音声出力部１４は、音声処理部１２からの音声信号を音波に変換して外部に出力するものである。具体的には、音声出力部１４は、スピーカ、イヤホン、音声出力用コネクタ等を備える構成である。【００３３】
データ処理部１５は、主制御部２１からのデータを所定形式のデータに符号化して無線処理部１１に送信するとともに、無線処理部１１からのデータを復号化して主制御部２１に送信するものである。【００３４】
操作部１６は、携帯端末１の表面に設けられたメイン操作ボタン群等の入力デバイスをユーザが操作することにより、操作データを作成して主制御部２１に送信するものである。入力デバイスとしては、ボタンスイッチの他にタッチパネル等が挙げられる。また、本実施形態では、操作部１６は、撮影モード判定処理を開始する際にユーザに押下される判定開始ボタンおよび被写体を撮影する際にユーザに押下されるシャッターボタンを備えている。【００３５】
記憶部１７は、各種データおよびプログラムを記憶するものである。記憶部１７の例としては、主制御部２１が動作する際に必要なプログラム、通信制御データ等の固定データを記憶する読出し専用の半導体メモリであるＲＯＭ（Read Only Memory）と、バーコード認識や通信に関するデータ、演算に使用するデータ及び演算結果等を一時的に記憶するいわゆるワーキングメモリとしてのＲＡＭ（Random Access Memory）とが挙げられる。【００３６】
さらに、記憶部１７は、フラッシュメモリやＥＥＰＲＯＭ等のように書き換え可能な不揮発性メモリで実現され、携帯端末１が備える撮影部１９により撮影されたテキストデータ、バーコードデータおよび写真データや、主制御部２１による撮影モードの判定時に参照する撮影モード判定テーブルを記憶しておいてもよい。【００３７】
表示部１８は、主制御部２１から画像、テキスト、動画等で構成される表示用データを受信し、受信した表示用データに基づいて、画像、テキスト、動画等の内容を表示するものである。表示用データとは、表示部１８の表示画面に描画される１画面分の情報のことである。【００３８】
撮影部１９は、被写体の撮影を行って、画像、動画等のデータを生成するものである。具体的には、撮影部１９は、被写体からの光を電気信号に変換するＣＣＤ（Charge Coupled Device）、ＣＭＯＳ（Complementary Metal-oxide Semiconductor）等の撮像素子と、撮像素子からの電気信号をＲＧＢ各色のデジタルデータに変換する映像処理回路とを備える構成が挙げられる。撮影部１９は、生成したデータを主制御部２１に送信する。【００３９】
電源部２０は、携帯端末１内の各種構成に適当な電力を供給するものである。電源部２０は、例えば、リチウムイオン電池等の充電可能な２次電池、電源回路等によって構成される。【００４０】
主制御部２１は、携帯端末１内の各種構成を統括的に制御するものである。主制御部２１の機能は、例えばＲＡＭやフラッシュメモリ等の記憶装置に記憶されたプログラムをＣＰＵ（Central Processing Unit）が実行することによって実現される。【００４１】
〔携帯端末の主要部の構成〕
次に、図２に示した携帯端末１の全体構成の中で、本発明に係る主要な構成について図１、３〜１１を参照して説明する。【００４２】
〔携帯端末１の主要部の第１実施形態〕
まず、携帯端末１の主要部の第１実施形態について図１、図３〜図７を参照して説明する。図１は、携帯端末１の主要部の第１実施形態の構成を示すブロック図である。【００４３】
本実施形態に係る携帯端末１は、操作部１６と、記憶部１７と、撮影部１９と、画像取得部（画像取得手段）２２と、認証範囲切出し部（認証範囲切出し手段）２３と、撮影モード判定部（撮影モード判定手段）２４と、撮影モード切換部（第１撮影モード切換手段、第２撮影モード切換手段、撮影後処理切換手段）２５と、撮影後処理部（撮影後処理手段）２６とを少なくとも備えている。なお、画像取得部２２、認証範囲切出し部２３、撮影モード判定部２４、撮影モード切換部２５および撮影後処理部２６は、主制御部２１に含まれている。【００４４】
本実施形態の携帯端末１では、撮影部１９は、特に、被写体に応じて切り換えられる複数の撮影モードから選択した、１つの撮影モードによって被写体を撮影する構成である。以下の説明において、上記複数の撮影モードとは、文字を識別する文字読取りモード、１次元バーコードおよび２次元バーコードを識別するバーコード読取りモード、風景や人物等を撮影するデジタルカメラモードを指す。ただし、本発明における撮影モードは、上記３つの撮影モードに限られず、カラーコードを識別するカラーコード読取りモード等の他の撮影モードをさらに含んでいてもよい。【００４５】
文字読取りモード、バーコード読取りモードおよびデジタルカメラモードにおける画面サイズ、画角、焦点距離および明るさの一例を下記表１に示す。【００４６】
【表１】
2008149709.tif 000003
【００４７】
画像取得部２２は、操作部１６を介して判定開始ボタンまたはシャッターボタンのユーザによる押下を受信した場合、撮影部１９が撮影するライブビュー画像から、画像データを取得するものである。なお、以下の説明において、画像取得部２２が操作部１６を介して判定開始ボタンのユーザによる押下を受信した場合に取得する上記画像データを、判定用画像データとする。また、画像取得部２２が操作部１６を介してシャッターボタンのユーザによる押下を受信した場合に取得する上記画像データを、撮影用画像データとする。【００４８】
認証範囲切出し部２３は、画像取得部２２によって取得された判定用画像データから、撮影モードを決定するための所定の認証範囲を切り出すものである。【００４９】
なお、撮影モードを判定するための認証範囲を切り出す対象となる判定用画像データは、撮影部１９によって撮影された画像の画像データに限られるものではなく、予め、記憶部１７に記憶されている画像データであってもよい。【００５０】
認証範囲切出し部２３における、判定用画像データの認証範囲の切出しについて図３を参照して説明する。図３は、判定用画像データにおける認証範囲を示す図である。【００５１】
被写体に対応する撮影モードを決定するために、画像取得部２２によって取得される判定用画像データ全体を用いた場合、該判定用画像データに異なる撮影モードに対応する複数の被写体、例えば、図３に示すように、バーコードと花とが撮影されていると、撮影モードを１つに決定することが困難になる。【００５２】
そこで、認証範囲切出し部２３が、画像取得部２２によって取得される上記判定用画像データから、撮影モードを決定するために用いる所定の認証範囲を切り出すことにより、該判定用画像データに異なる撮影モードに対応する複数の被写体が撮影されていたとしても、目的の被写体を認証範囲内に収めるように、撮影部１９によって被写体を撮影することにより、目的の被写体に適した撮影モードに決定することができる。【００５３】
なお、上記認証範囲としては、表示部１８に予め設定された範囲が表示される構成であってもよいし、画像取得部２２によって判定用画像データを取得した後にユーザが任意の範囲を選択する構成であってもよい。【００５４】
例えば、表示部１８と一体となったタッチパネル（図示せず）を備え、該タッチパネルに直接ユーザが接触して、認証範囲を指定するものであってもよい。【００５５】
撮影モード判定部２４は、認証範囲切出し部２３によって切り出された判定用画像データの認証範囲内における画像が、上記複数の撮影モードのいずれに適合するか判定するものである。具体的には、認証範囲切出し部２３によって切り出された判定用画像データの認証範囲内における画像の特徴と合致する撮影モード判定情報を、記憶部１７に記憶された撮影モード判定テーブルから特定し、特定された上記撮影モード判定情報に対応する撮影モードから、被写体に対応する撮影モードを決定する。また、撮影モード判定部２４は、文字特定部２７と、１次元バーコード特定部２８と、２次元バーコード特定部２９とを備えている。【００５６】
記憶部１７に記憶された撮影モード判定テーブルは、図４に示すように、判定処理が行われる順序と、複数の撮影モードの種類、すなわち、文字読取りモード、１次元バーコード読取りモードおよび２次元バーコード読取りモードと、画像取得部２２によって取得される上記判定用画像データを該各撮影モードに分類するための画像データの特徴を示す撮影モード判定情報とが対応付けられている。【００５７】
上記撮影モード判定情報とは、文字読取りモードの場合は漢字、ひらがな、カタカナ、数字、アルファベット等の文字の標準パターンまたは特徴点の相対位置であり、１次元バーコード読取りモードの場合は複数の特徴線およびスタート／ストップキャラクタであり、２次元バーコード読取りモードの場合は切り出しシンボルである。【００５８】
文字特定部２７は、認証範囲切出し部２３によって切り出された判定用画像データの認証範囲内における画像の特徴が、記憶部１７に記憶された撮影モード判定テーブルの文字読取りモードに対応する撮影モード判定情報と合致するか否かを判定するものである。上記判定方法としては、パターンマッチング方式または特徴点抽出方式が挙げられる。【００５９】
１次元バーコード特定部２８は、認証範囲切出し部２３によって切り出された判定用画像データの認証範囲内における画像の特徴が、記憶部１７に記憶された撮影モード判定テーブルの１次元バーコード読取りモードに対応する撮影モード判定情報と合致するか否かを判定するものである。具体的には、１次元バーコード特定部２８は、上記判定用画像データの認証範囲内に、特徴的な複数のコードおよびスタート／ストップキャラクタが含まれているか否かを判定する。【００６０】
２次元バーコード特定部２９は、認証範囲切出し部２３によって切り出された判定用画像データの認証範囲内における画像の特徴が、記憶部１７に記憶された撮影モード判定テーブルの２次元バーコード読取りモードに対応する撮影モード判定情報と合致するか否かを判定するものである。具体的には、２次元バーコード特定部２９は、上記判定用画像データの認証範囲内に、切り出しシンボルが含まれているか否かを判定する。【００６１】
本実施形態の携帯端末１において、被写体としては、例えば、文字、バーコード、カラーコード、風景、人物等が挙げられる。それらの被写体のうち、特に、文字およびバーコードの場合は、撮影モードを、人物や風景等を撮影するためのデジタルカメラモードではなく、被写体を識別するための特別な識別方法を用いる文字読取りモードやバーコード読取りモード等に設定する必要がある。【００６２】
そこで、本実施形態では、記憶部１７に、撮影モードとして文字を識別する文字読取りモード、１次元バーコードを識別する１次元バーコード読取りモードおよび２次元バーコードを識別する２次元バーコード読取りモードと、それらの撮影モード判定情報とがそれぞれ対応付けられた撮影モード判定テーブルを記憶している。さらに、撮影モード判定部２４は、撮影モード判定部２４が上記判定用画像データの特徴と合致する上記撮影モード判定情報を上記撮影モード判定テーブルから特定できない場合、撮影モードを文字およびバーコード以外を識別するデジタルカメラモードに決定する。【００６３】
これにより、携帯端末１では、被写体が文字およびバーコードのように、特別な識別方法を用いて被写体を識別する必要がある場合は、撮影モードを特別な識別方法を用いる文字読取りモードおよびバーコード読取りモードにそれぞれ決定することができる。【００６４】
また、撮影モード判定部２４は、撮影モード判定部２４によって特定された撮影モード判定情報が、１次元バーコード読取りモードまたは２次元バーコード読取りモードに対応する場合には、撮影モードをバーコード読取りモードに決定する。【００６５】
また、撮影モード判定部２４は、判定された撮影モードの種類を表示部１８に表示させてもよいし、ＬＥＤ等のランプや、音声によるガイダンス等によりユーザに報知させてもよい。すなわち、携帯端末１は、ユーザに判定後の撮影モードを報知することが可能な構成を有していればよく、上述した構成に限られない。【００６６】
携帯端末１は、撮影モード判定部２４が被写体に対応した撮影モードを自動的に決定する構成であるが、画像取得部２２によって取得された判定用画像データにおいて、撮影された文字がかすんでいたり、風景の一部に文字やバーコードが入っていたりする場合は、撮影モード判定部２４による撮影モードの判定が誤ってしまう可能性がある。【００６７】
撮影モード判定部２４が撮影モードの判定を誤ってしまった場合、撮影モード判定部２４によって適合していると判定された撮影モードが、どの撮影モードであるかユーザが確認できる手段を携帯端末１が備えていなければ、被写体に適さない撮影モードで被写体の撮影が行われてしまう。【００６８】
そこで、撮影モード判定部２４が、情報を表示する表示部１８に、撮影モード判定部２４によって適合していると判定された撮影モードの種類を表示させることにより、ユーザはどの撮影モードに決定されたのかを知ることが可能となる。これにより、撮影モード判定部２４によって適合していると判定された撮影モードが、被写体に適していないとユーザが判断した場合には、ユーザは撮影部１９の起動を停止させたり、再度撮影モードの決定処理を行ったりすることができる。その結果、被写体に適切な撮影モードを決定することができる。【００６９】
撮影モード切換部２５は、撮影部１９の撮影モードを切り換えるとともに、撮影モード判定部２４によって適合していると判定された撮影モードに対応する後処理モードに、撮影後処理部２６を切り換えるものである。【００７０】
なお、撮影モード切換部２５によって撮影部１９の撮影モードが切り換えられると、表示部１８に表示される画像の大きさが変わる場合がある。これは、図５に示すように、文字読取りモード、バーコード読取りモードおよびデジタルカメラモードの各撮影モードによって画角が異なるためである。図５は、文字読取りモード、バーコード読取りモードおよびデジタルカメラモードの画角の一例を示す図である。なお、図５に示す各撮影モードの画角は一例であり、撮影モードの画角は携帯端末の撮影部の特性によって異なる。したがって、全ての携帯端末の撮影部が図５に示すような各画角に切り換えられるわけではない。【００７１】
撮影後処理部２６は、撮影部１９が撮影モード切換部２５によって切り換えられた撮影モードにしたがって被写体を撮影し、画像取得部２２が撮影用画像データを取得した場合に、該撮影用画像データに対して各撮影モードに対応したモードの後処理を行うものである。【００７２】
撮影部１９が撮影モード切換部２５によって切り換えられた撮影モードにしたがって被写体を撮影した場合、どの撮影モードにしたがって撮影部１９が被写体を撮影したかによって、画像取得部２２が取得した撮影用画像データに対して行う処理内容が異なってくる。【００７３】
そこで、撮影後処理部２６は、撮影部１９が文字読取りモードにしたがって被写体を撮影した場合の撮影用画像データを処理する文字読取りモード後処理部３０と、撮影部１９がバーコード読取りモードにしたがって被写体を撮影した場合の撮影用画像データを処理するバーコード読取りモード後処理部３１と、撮影部１９がデジタルカメラモードにしたがって被写体を撮影した場合の撮影用画像データを処理するデジタルカメラモード後処理部３２とを備えている。【００７４】
文字読取りモード後処理部３０は、画像取得部２２によって取得された撮影用画像データをテキストデータとして変換するものである。また、文字読取りモード後処理部３０は、変換したテキストデータを表示部１８に表示してもよいし、記憶部１７に記憶してもよい。【００７５】
バーコード読取りモード後処理部３１は、画像取得部２２によって取得された撮影用画像データに撮影されている１次元または２次元バーコードから、バーコードに含まれている情報を読み出すためのものである。また、バーコード読取りモード後処理部３１は、バーコードから読み出した情報を、表示部１８に表示してもよいし、記憶部１７に記憶してもよいし、データ処理部１５、無線処理部１１およびアンテナ部１０を介して外部に送信してもよい。【００７６】
デジタルカメラモード後処理部３２は、画像取得部２２によって取得された撮影用画像データを、表示部１８に表示したり、記憶部１７に記憶したりするものである。【００７７】
このように、撮影後処理部２６は、画像取得部２２によって取得された撮影用画像を、撮影モード判定部２４によって適合していると判定された撮影モードに対応するモードの後処理を行い、各種出力を行う。【００７８】
なお、本実施形態では、撮影モード判定部２４によって適合していると判定された撮影モードを記憶する記憶部を備えていてもよい。これにより、撮影部１９は、次回撮影時に、上記記憶部に記憶された撮影モードにより被写体を撮影することができる。【００７９】
これにより、撮影部１９により連続撮影を行う場合には、撮影モード判定部２４によって、被写体を撮影した判定用画像データが上記複数の撮影モードのいずれに対応するかを毎回判定しなくても、被写体を撮影することができる。したがって、本実施形態の携帯端末１は、被写体に対応する撮影モードを撮影毎に判定するという煩雑な作業を行わずに、連続撮影を行うことが可能となる。【００８０】
ここで、本実施形態の携帯端末１における処理手順の第１実施例、および第２実施例について、図６〜図１１を参照して説明する。【００８１】
〔処理手順の第１実施例〕
まず、第１実施形態の主要部を備えた携帯端末１における処理手順の第１実施例について、図６を参照して説明する。図６は、第１実施形態の主要部を備えた携帯端末における処理手順の第１実施例を示すフローチャートである。【００８２】
まず、携帯端末１の主制御部２１は、撮影部１９を起動させ、撮影部１９のレンズの焦点を被写体に合わせる。なお、ここでは、主制御部２１は撮影部１９のレンズの焦点を被写体に合わせているが、本発明はこれに限られない。例えば、撮影部１９として、固定焦点のカメラを用いた場合には、主制御部２１は撮影部１９のレンズの焦点を被写体に合わせる必要は無い。【００８３】
そして、画像取得部２２は、操作部１６を介して判定開始ボタンのユーザによる押下を受信したか否かを判断する（Ｓ１）。画像取得部２２は、操作部１６を介して判定開始ボタンのユーザによる押下を受信したと判断した場合（Ｓ１でＹｅｓ）、撮影部１９が撮影するライブビュー画像から、判定用画像データを取得し、撮影モード判定部２４によって該判定用画像データが複数の撮影モードのいずれに適合しているかを判定する（Ｓ２）。【００８４】
また、画像取得部２２は、操作部１６を介して判定開始ボタンのユーザによる押下を受信していないと判断した場合（Ｓ１でＮｏ）、再びＳ１の処理に戻る。【００８５】
次に、撮影モード判定部２４は、適合していると判定された撮影モードの種類を、表示部１８に表示させる（Ｓ３）。そして、撮影モード判定部２４によって適合していると判定された撮影モードが、被写体に対応しているか否かをユーザに判断させる（Ｓ４）。【００８６】
撮影モード判定部２４によって適合していると判定された撮影モードが、被写体に対応しているとユーザが判断した場合（Ｓ４でＹｅｓ）、撮影モード切換部２５は撮影部１９を決定した撮影モードに切り換えるとともに、撮影後処理部２６を決定した撮影モードに対応する後処理モードに切り換える（Ｓ５）。また、撮影モード判定部２４によって適合していると判定された撮影モードが、被写体に対応していないとユーザが判断した場合（Ｓ４でＮｏ）、再びＳ２の処理に戻る。【００８７】
次に、画像取得部２２は、操作部１６を介してシャッターボタンのユーザによる押下を受信したか否かを判断する（Ｓ６）。画像取得部２２は、操作部１６を介してシャッターボタンのユーザによる押下を受信したと判断した場合（Ｓ６でＹｅｓ）、撮影部１９が撮影するライブビュー画像から、撮影用画像データを取得する。そして、撮影後処理部２６は、画像取得部２２によって取得された上記撮影用画像データに対し、撮影モード判定部２４によって決定された撮影モードに対応したモードの撮影後処理を行う（Ｓ７）。【００８８】
また、画像取得部２２は、操作部１６を介してシャッターボタンのユーザによる押下を受信していないと判断した場合（Ｓ６でＮｏ）、再びＳ６の処理に戻る。【００８９】
次に、図６のＳ２の「撮影モードの判定」の具体的な処理手順について、図７を参照して説明する。図７は、「撮影モードの判定」の具体的な処理手順を示すフローチャートである。【００９０】
まず、画像取得部２２は、操作部１６を介して判定開始ボタンのユーザによる押下を受信した場合、撮影部１９が撮影するライブビュー画像から、判定用画像データを取得する（Ｓ１１）。そして、認証範囲切出し部２３は、画像取得部２２によって取得された判定用画像データから、撮影モードを決定するための所定の認証範囲を切り出す（Ｓ１２）。【００９１】
次に、撮影モード判定部２４の文字特定部２７は、記憶部１７に記憶された撮影モード判定テーブルから、文字読取りモードに対応する撮影モード判定情報を取得する（Ｓ１３）。そして、文字特定部２７は、認証範囲切出し部２３によって切り出された判定用画像データの認証範囲内における画像の特徴が、取得した上記撮影モード判定情報と合致するか否かを判定する（Ｓ１４）。【００９２】
そして、文字特定部２７が、上記判定用画像データの認証範囲内における画像の特徴が、取得した上記撮影モード判定情報と合致すると判定した場合（Ｓ１５でＹｅｓ）、撮影モード判定部２４は被写体に対応する撮影モードを文字読取りモードと決定する（Ｓ１６）。【００９３】
また、文字特定部２７が、上記判定用画像データの認証範囲内における画像の特徴が、取得した上記撮影モード判定情報と合致しないと判定した場合（Ｓ１５でＮｏ）、撮影モード判定部２４の１次元バーコード特定部２８は、記憶部１７に記憶された撮影モード判定テーブルから、バーコード読取りモード（１次元）に対応する撮影モード判定情報を取得する（Ｓ１７）。そして、１次元バーコード特定部２８は、認証範囲切出し部２３によって切り出された判定用画像データの認証範囲内における画像の特徴が、取得した上記撮影モード判定情報と合致するか否かを判定する（Ｓ１８）。【００９４】
そして、１次元バーコード特定部２８が、上記判定用画像データの認証範囲内における画像の特徴が、取得した上記撮影モード判定情報と合致しないと判定した場合（Ｓ１９でＮｏ）、撮影モード判定部２４の２次元バーコード特定部２９は、記憶部１７に記憶された撮影モード判定テーブルから、バーコード読取りモード（２次元）に対応する撮影モード判定情報を取得する（Ｓ２０）。そして、２次元バーコード特定部２９は、認証範囲切出し部２３によって切り出された判定用画像データの認証範囲内における画像の特徴が、取得した上記撮影モード判定情報と合致するか否かを判定する（Ｓ２１）。【００９５】
そして、１次元バーコード特定部２８が、上記判定用画像データの認証範囲内における画像の特徴が、取得したバーコード読取りモード（１次元）に対応する撮影モード判定情報と合致すると判定した場合（Ｓ１９でＹｅｓ）、および、２次元バーコード特定部２９が、上記判定用画像データの認証範囲内における画像の特徴が、取得したバーコード読取りモード（２次元）に対応する撮影モード判定情報と合致すると判定した場合（Ｓ２２でＹｅｓ）、撮影モード判定部２４は被写体に対応する撮影モードをバーコード読取りモードと決定する（Ｓ２３）。【００９６】
また、２次元バーコード特定部２９が、上記判定用画像データの認証範囲内における画像の特徴が、取得したバーコード読取りモード（２次元）に対応する撮影モード判定情報と合致しない判定した場合（Ｓ２２でＮｏ）、撮影モード判定部２４は被写体に対応する撮影モードをデジタルカメラモードと決定する（Ｓ２４）。【００９７】
なお、本実施形態では、画像取得部２２が、操作部１６を介して判定開始ボタンのユーザによる押下を受信した場合に、撮影モードの判定処理を行っているが、これに限られない。撮影モードの判定処理は、主制御部２１が撮影部１９を起動した時点で開始してもよい。【００９８】
〔処理手順の第２実施例〕
次に、第１実施形態の主要部を備えた携帯端末１における処理手順の第２実施例について、図８を参照して説明する。図８は、第１実施形態の主要部を備えた携帯端末１における処理手順の第２実施例を示すフローチャートである。【００９９】
本実施例の処理手順は、図８に示すように、第１実施例の処理手順Ｓ５において撮影部１９を決定した撮影モードに切り換えるとともに、撮影後処理部２６を決定した撮影モードに対応する後処理モードに切り換えているのに対し、第１実施例の処理手順Ｓ５に対応する本実施例の処理手順Ｓ３５においては、撮影後処理部２６のみを決定した撮影モードに対応する後処理モードに切り換えている。【０１００】
これは、本実施例の処理手順では、Ｓ３２の「撮影モードの判定」において、撮影部１９の撮影モードを切り換えながら撮影モードの判定を行っているために、判定用画像データに適合する撮影モードが決定された後に、撮影部１９の撮影モードを切り換える必要がないためである。【０１０１】
なお、図８に示す、本実施例のＳ３１、３３、３４、３６、３７は、図６に示す、第１実施例のＳ１、Ｓ３、Ｓ４、Ｓ６、Ｓ７とそれぞれ同一の工程であるので、ここでは説明は省略する。【０１０２】
次に、本実施例の処理手順Ｓ３２の「撮影モードの判定」の具体的な処理手順について、図９を参照して説明する。図９は、第２実施例の処理手順Ｓ３２における「撮影モードの判定」の具体的な処理手順を示すフローチャートである。【０１０３】
まず、画像取得部２２は、操作部１６を介して判定開始ボタンのユーザによる押下を受信した場合、撮影部１９が撮影するライブビュー画像から、判定用画像データを取得する（Ｓ４１）。そして、認証範囲切出し部２３は、画像取得部２２によって取得された判定用画像データから、撮影モードを決定するための所定の認証範囲を切り出す（Ｓ４２）。【０１０４】
次に、撮影モード切換部２５は、撮影部１９の撮影モードを文字読取りモードに切り換える（Ｓ４３）。そして、撮影モード判定部２４の文字特定部２７は、記憶部１７に記憶された撮影モード判定テーブルから、文字読取りモードに対応する撮影モード判定情報を取得する（Ｓ４４）。そして、文字特定部２７は、認証範囲切出し部２３によって切り出された判定用画像データの認証範囲内における画像の特徴が、取得した上記撮影モード判定情報と合致するか否かを判定する（Ｓ４５）。【０１０５】
そして、文字特定部２７が、上記判定用画像データの認証範囲内における画像の特徴が、取得した上記撮影モード判定情報と合致すると判定した場合（Ｓ４６でＹｅｓ）、撮影モード判定部２４は被写体に対応する撮影モードを文字読取りモードと決定する（Ｓ４７）。【０１０６】
また、文字特定部２７が、上記判定用画像データの認証範囲内における画像の特徴が、取得した上記撮影モード判定情報と合致しないと判定した場合（Ｓ４６でＮｏ）、撮影モード切換部２５は、撮影部１９の撮影モードをバーコード読取りモードに切り換える（Ｓ４８）。そして、撮影モード判定部２４の１次元バーコード特定部２８は、記憶部１７に記憶された撮影モード判定テーブルから、バーコード読取りモード（１次元）に対応する撮影モード判定情報を取得する（Ｓ４９）。そして、１次元バーコード特定部２８は、認証範囲切出し部２３によって切り出された判定用画像データの認証範囲内における画像の特徴が、取得した上記撮影モード判定情報と合致するか否かを判定する（Ｓ５０）。【０１０７】
そして、１次元バーコード特定部２８が、上記判定用画像データの認証範囲内における画像の特徴が、取得した上記撮影モード判定情報と合致しないと判定した場合（Ｓ５１でＮｏ）、撮影モード判定部２４の２次元バーコード特定部２９は、記憶部１７に記憶された撮影モード判定テーブルから、バーコード読取りモード（２次元）に対応する撮影モード判定情報を取得する（Ｓ５２）。そして、２次元バーコード特定部２９は、認証範囲切出し部２３によって切り出された判定用画像データの認証範囲内における画像の特徴が、取得した上記撮影モード判定情報と合致するか否かを判定する（Ｓ５３）。【０１０８】
そして、１次元バーコード特定部２８が、上記判定用画像データの認証範囲内における画像の特徴が、取得したバーコード読取りモード（１次元）に対応する撮影モード判定情報と合致すると判定した場合（Ｓ５１でＹｅｓ）、および、２次元バーコード特定部２９が、上記判定用画像データの認証範囲内における画像の特徴が、取得したバーコード読取りモード（２次元）に対応する撮影モード判定情報と合致すると判定した場合（Ｓ５４でＹｅｓ）、撮影モード判定部２４は被写体に対応する撮影モードをバーコード読取りモードと決定する（Ｓ５５）。【０１０９】
また、２次元バーコード特定部２９が、上記判定用画像データの認証範囲内における画像の特徴が、取得したバーコード読取りモード（２次元）に対応する撮影モード判定情報と合致しない判定した場合（Ｓ５４でＮｏ）、撮影モード判定部２４は被写体に対応する撮影モードをデジタルカメラモードと決定する（Ｓ５６）。【０１１０】
〔携帯端末１の主要部の第２実施形態〕
次に、携帯端末１の主要部の第２実施形態について図１０および図１１を参照して説明する。図１０は、携帯端末１の主要部の第２実施形態の構成を示すブロック図である。【０１１１】
携帯端末１の主要部の第２実施形態では、操作部１６が画像取得部２２だけでなく、撮影モード切換部２５にも接続されている点で携帯端末１の主要部の第１実施形態と異なっている。本実施形態では、撮影モード切換部２５は、操作部１６を介して判定開始ボタンのユーザによる押下を受信した場合、撮影部１９の撮影モードを、撮影モード判定テーブルに記憶された順序に従い切り換える。【０１１２】
なお、携帯端末１の主要部の第２実施形態は、操作部１６が撮影モード切換部２５にも接続されている以外は、携帯端末１の主要部の第１実施形態と同一の構成であるために、ここでは説明は省略する。【０１１３】
ここで、第２実施形態の主要部を備えた携帯端末１における処理手順について説明する。本実施形態の処理手順は、図８に示す第１実施形態の主要部を備えた携帯端末１における第２実施例の処理手順Ｓ３１〜Ｓ３７と同様であるが、Ｓ３２の「撮影モードの判定」処理において、撮影部１９の撮影モードを切り換えながら撮影モードの判定を行う第２実施例の処理手順に加えて、撮影部１９の撮影モードが切り換えられる毎に撮影部１９が被写体を撮影する。【０１１４】
次に、本実施形態の処理手順Ｓ３２の「撮影モードの判定」の具体的な処理手順について、図１１を参照して説明する。図１１は、本実施形態の処理手順Ｓ３２における「撮影モードの判定」の具体的な処理手順を示すフローチャートである。【０１１５】
まず、撮影モード切換部２５は、操作部１６を介して判定開始ボタンのユーザによる押下を受信した場合、撮影部１９の撮影モードを文字読取りモードに切り換える（Ｓ６１）。そして、画像取得部２２は、撮影部１９が撮影するライブビュー画像から、文字読取りモード判定用画像データを取得する（Ｓ６２）。そして、認証範囲切出し部２３は、画像取得部２２によって取得された文字読取りモード判定用画像データから、撮影モードを決定するための所定の認証範囲を切り出す（Ｓ６３）。【０１１６】
次に、撮影モード判定部２４の文字特定部２７は、記憶部１７に記憶された撮影モード判定テーブルから、文字読取りモードに対応する撮影モード判定情報を取得する（Ｓ６４）。そして、文字特定部２７は、認証範囲切出し部２３によって切り出された文字読取りモード判定用画像データの認証範囲内における画像の特徴が、取得した上記撮影モード判定情報と合致するか否かを判定する（Ｓ６５）。【０１１７】
そして、文字特定部２７が、上記文字読取りモード判定用画像データの認証範囲内における画像の特徴が、取得した上記撮影モード判定情報と合致すると判定した場合（Ｓ６６でＹｅｓ）、撮影モード判定部２４は被写体に対応する撮影モードを文字読取りモードと決定する（Ｓ６７）。【０１１８】
また、文字特定部２７が、上記文字読取りモード判定用画像データの認証範囲内における画像の特徴が、取得した上記撮影モード判定情報と合致しないと判定した場合（Ｓ６６でＮｏ）、撮影モード切換部２５は、撮影部１９の撮影モードをバーコード読取りモードに切り換える（Ｓ６８）。そして、画像取得部２２は、撮影部１９が撮影するライブビュー画像から、バーコード読取りモード判定用画像データを取得する（Ｓ６９）。そして、認証範囲切出し部２３は、画像取得部２２によって取得されたバーコード読取りモード判定用画像データから、撮影モードを決定するための所定の認証範囲を切り出す（Ｓ７０）。【０１１９】
そして、撮影モード判定部２４の１次元バーコード特定部２８は、記憶部１７に記憶された撮影モード判定テーブルから、バーコード読取りモード（１次元）に対応する撮影モード判定情報を取得する（Ｓ４９）。そして、１次元バーコード特定部２８は、認証範囲切出し部２３によって切り出されたバーコード読取りモード判定用画像データの認証範囲内における画像の特徴が、取得した上記撮影モード判定情報と合致するか否かを判定する（Ｓ７２）。【０１２０】
そして、１次元バーコード特定部２８が、上記判定用画像データの認証範囲内における画像の特徴が、取得した上記撮影モード判定情報と合致しないと判定した場合（Ｓ７３でＮｏ）、撮影モード判定部２４の２次元バーコード特定部２９は、記憶部１７に記憶された撮影モード判定テーブルから、バーコード読取りモード（２次元）に対応する撮影モード判定情報を取得する（Ｓ７４）。そして、２次元バーコード特定部２９は、認証範囲切出し部２３によって切り出されたバーコード読取りモード判定用画像データの認証範囲内における画像の特徴が、取得した上記撮影モード判定情報と合致するか否かを判定する（Ｓ７５）。【０１２１】
そして、１次元バーコード特定部２８が、上記バーコード読取りモード判定用画像データの認証範囲内における画像の特徴が、取得したバーコード読取りモード（１次元）に対応する撮影モード判定情報と合致すると判定した場合（Ｓ７３でＹｅｓ）、および、２次元バーコード特定部２９が、上記バーコード読取りモード判定用画像データの認証範囲内における画像の特徴が、取得したバーコード読取りモード（２次元）に対応する撮影モード判定情報と合致すると判定した場合（Ｓ７６でＹｅｓ）、撮影モード判定部２４は被写体に対応する撮影モードをバーコード読取りモードと決定する（Ｓ７７）。【０１２２】
また、２次元バーコード特定部２９が、上記判定用画像データの認証範囲内における画像の特徴が、取得したバーコード読取りモード（２次元）に対応する撮影モード判定情報と合致しない判定した場合（Ｓ７６でＮｏ）、撮影モード判定部２４は被写体に対応する撮影モードをデジタルカメラモードと決定する（Ｓ７８）。【０１２３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【０１２４】
最後に、携帯端末１の各ブロック、特に画像取得部２２、撮影モード判定部２４、撮影モード切換部２５および撮影後処理部２６は、ハードウェアロジックによって構成してもよいし、次のようにＣＰＵを用いてソフトウェアによって実現してもよい。【０１２５】
すなわち、携帯端末１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）等を備えている。そして、本発明の目的は、上述した機能を実現するソフトウェアである携帯端末１の制御プログラムのプログラムコード（実行形式プログラム、中間コードプログラム、ソースプログラム）をコンピュータで読取り可能に記録した記録媒体を、上記携帯端末１に供給し、そのコンピュータ（またはＣＰＵやＭＰＵ）が記録媒体に記録されているプログラムコードを読み出し実行することによっても、達成可能である。【０１２６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系等を用いることができる。【０１２７】
また、携帯端末１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０１２８】
以上のように、本発明に係る携帯端末は、上記課題を解決するために、撮影手段と、上記撮影手段によって撮影された被写体の画像を取得する画像取得手段と、上記画像取得手段によって取得された上記画像が、複数の撮影モードのいずれに適合した画像であるかを判定する撮影モード判定手段とを備え、上記撮影手段は、上記撮影モード判定手段によって適合していると判定された撮影モードにより被写体を撮影することを特徴としている。【０１２９】
上記構成により、被写体が文字、バーコード、カラーコード等のような特別な撮影モードにしなければ識別できない場合であっても、自動的に被写体を識別し、被写体に応じた撮影モードに上記撮影手段の撮影モードを容易に切り換えることが可能である。【０１３０】
また、本発明の携帯端末では、上記撮影モード判定手段によって適合していると判定された撮影モードに、上記撮影手段の撮影モードを切り換える第１撮影モード切換手段を備えていてもよい。【０１３１】
本発明の携帯端末では、上記第１撮影モード切換手段は、上記撮影モード判定手段によって適合していると判定された撮影モードに、上記撮影手段の撮影モードを切り換えることができる。したがって、本発明の携帯端末は、ユーザが手動で撮影モードを切り換えることなく、自動的に被写体に対応した撮影モードに、上記撮影手段の撮影モードを切り換えることが可能であり、従来の携帯端末の操作の煩雑さを解消することができる。【０１３２】
また、本発明の携帯端末では、上記撮影モード判定手段は、上記画像が上記複数の撮影モードのいずれに適合するかを、第２撮影モード切換手段によって順番に切り換えられる複数の撮影モードについて順次判定しており、上記第２撮影モード切換手段は、上記撮影モード判定手段によって適合すると判定された撮影モードで、上記第２撮影モード切換手段による上記撮影手段の撮影モードの切り換えを停止する構成であってもよい。【０１３３】
本発明の上記第２撮影モード切換手段は、上記第１撮影モード切換手段と比較して、上記撮影手段の撮影モードを切り換える時点が異なる。しかしながら、本発明の上記構成は、上記第１撮影モード切換手段により上記撮影手段の撮影モードを切り換えた場合と同様に、ユーザが手動で撮影モードを切り換えることなく、自動的に被写体に対応した撮影モードに、上記撮影手段の撮影モードを切り換えることが可能であり、従来の携帯端末の操作の煩雑さを解消することができるという効果を奏する。【０１３４】
また、本発明の携帯端末では、上記画像取得手段は、上記第２撮影モード切換手段によって撮影モードが切り換えられた上記撮影手段が撮影した被写体の画像を取得する構成であってもよい。【０１３５】
上記構成により、ユーザが手動で撮影モードを切り換えることなく、自動的に被写体に対応した撮影モードに、上記撮影手段の撮影モードを切り換えることが可能であり、従来の携帯端末の操作の煩雑さを解消することができるという効果を奏する。【０１３６】
また、本発明の携帯端末は、上記画像取得手段によって取得された上記画像から、該画像に適合する撮影モードを判定するために用いる所定の認証範囲を切り出す認証範囲切出し手段を備えていてもよい。【０１３７】
被写体に対応する撮影モードを決定するために、上記撮影モード判定手段が、上記画像取得手段によって取得された画像全体を対象として、該画像が上記複数の撮影モードのいずれに適合するか判定する場合、該画像に異なる撮影モードに対応する複数の被写体、例えばバーコードと人物とが撮影されていると、撮影モードを１つに決定することが困難になる。【０１３８】
そこで、本発明の上記構成により、認証範囲切り出し手段が、上記画像取得手段によって取得された上記画像から、撮影モードを決定するために用いる所定の認証範囲を切り出すことにより、該画像に異なる撮影モードに対応する複数の被写体が撮影されていたとしても、目的の被写体を認証範囲内に収めるように、上記撮影手段によって被写体を撮影することにより、目的の被写体に適した撮影モードに決定することができる。【０１３９】
なお、上記認証範囲としては、表示手段に予め設定された範囲が表示される構成であってもよいし、上記画像取得手段によって画像を取得した後にユーザが任意の範囲を選択する構成であってもよい。【０１４０】
また、本発明の携帯端末では、上記画像取得手段によって取得された上記画像に対し、上記各撮影モードに対応したモードの後処理を行う撮影後処理手段と、上記撮影モード判定手段によって適合していると判定された撮影モードに対応する後処理モードに、上記撮影後処理手段を切り換える撮影後処理切換手段とを備えていてもよい。【０１４１】
上記画像取得手段によって取得された画像の後処理は、被写体の種類に応じて異なる。例えば、被写体が文字である場合には、被写体の画像をテキストデータに変換し、被写体がバーコードである場合には、被写体の画像からバーコードに含まれる情報を取得し、被写体が人物や風景等の場合には、被写体の画像をメモリに記憶する。【０１４２】
そこで、本発明の携帯端末では、上記撮影後処理切換手段が、上記画像取得手段によって取得された画像が上記撮影モード判定手段によって適合していると判定された撮影モードに対応する後処理モードに、上記撮影後処理手段を切り換えることにより、該画像を被写体に応じて適切に処理することが可能となる。【０１４３】
また、本発明の携帯端末では、上記撮影モード判定手段によって適合していると判定された撮影モードの種類をユーザに報知する報知手段を備えていてもよい。【０１４４】
本発明の携帯端末は、上記撮影モード判定手段が被写体に対応した撮影モードを自動的に判定する構成であるが、上記画像取得手段によって取得された判定用画像データにおいて、撮影された文字がかすんでいたり、風景の一部に文字やバーコードが入っていたりする場合は、該撮影モード判定手段による撮影モードの判定が誤ってしまう可能性がある。【０１４５】
上記撮影モード判定手段が撮影モードの判定を誤ってしまった場合、上記撮影モード判定手段によって適合していると判定された撮影モードが、どの撮影モードであるかユーザが確認できる手段を本発明の携帯端末が備えていなければ、被写体に適さない撮影モードで被写体の撮影が行われてしまう。【０１４６】
そこで、本発明の上記構成では、上記撮影モード判定手段が、該撮影モード判定手段によって適合していると判定された撮影モードの種類をユーザに報知する報知手段を備えることにより、ユーザはどの撮影モードに決定されたのかを知ることが可能となる。これにより、上記撮影モード判定手段によって適合していると判定された撮影モードが、被写体に適していないとユーザが判断した場合には、ユーザは撮影手段の起動を停止させたり、再度撮影モードの決定処理を行ったりすることができる。その結果、被写体に適切な撮影モードを決定することができる。【０１４７】
また、本発明の携帯端末では、上記撮影モード判定手段によって適合していると判定された撮影モードを記憶する記憶部を備え、上記撮影手段は、次回撮影時に、上記記憶部に記憶された上記撮影モードにより被写体を撮影してもよい。【０１４８】
上記構成により、上記撮影手段により連続撮影を行う場合には、上記撮影モード判定手段によって、被写体を撮影した画像が上記複数の撮影モードのいずれに適合するかを毎回判定しなくても、被写体を撮影することができる。したがって、本発明の携帯端末は、被写体に対応する撮影モードを撮影毎に判定するという煩雑な作業を行わずに、連続撮影を行うことが可能となる。【０１４９】
本発明の携帯端末の制御方法は、複数の撮影モードを有し、該複数の撮影モードから選択した、１つの撮影モードによって被写体を撮影する撮影手段によって撮影された被写体の画像を取得する画像取得工程と、上記画像取得工程において取得された上記画像が、上記複数の撮影モードのいずれに適合した画像であるかを判定する撮影モード判定工程とを含んでおり、上記撮影モード判定工程において適合していると判定された撮影モードにしたがい、上記撮影手段によって被写体を撮影することを特徴としている。【０１５０】
携帯端末の制御方法の各工程においては、携帯端末の各手段と同様の処理が実現されているので、携帯端末と同様の作用効果を得ることができる。【０１５１】
なお、上記情報測定装置および上記情報管理サーバは、コンピュータによって実現してもよく、この場合には、コンピュータを上記各手段として動作させることにより上記情報測定装置および上記情報管理サーバをコンピュータにて実現させる情報管理プログラム、およびそれを記録したコンピュータ読み取り可能な記録媒体も、本発明の範疇に入る。【０１５２】
本発明に係る携帯端末は、以上のように、撮影手段と、上記撮影手段によって撮影された被写体の画像を取得する画像取得手段と、上記画像取得手段によって取得された上記画像が、複数の撮影モードのいずれに適合した画像であるかを判定する撮影モード判定手段とを備え、上記撮影手段は、上記撮影モード判定手段によって適合していると判定された撮影モードにより被写体を撮影することを特徴としている。【０１５３】
上記構成により、被写体が文字、バーコード、カラーコード等のように、上記撮影手段を特別な撮影モードにしなければ識別できない場合であっても、上記撮影モード判定手段が、上記画像取得手段によって取得される画像が、上記複数の撮影モードのいずれに適合するか判定することができるために、上記撮影手段は被写体に応じた撮影モードで被写体を撮影することが可能となる。
【産業上の利用の可能性】
【０１５４】
本発明の携帯端末は、撮影手段を備えた携帯可能な端末装置、例えば、ＰＤＣ（personal digital cellular）、ＰＨＳ（personal handyphone system）等の携帯電話機およびＰＤＡ（Personal Digital Assistant）等の携帯型情報端末装置に好適に適用することができる。
【図１】
2008149709.tif 000004
【図２】
2008149709.tif 000005
【図３】
2008149709.tif 000006
【図４】
2008149709.tif 000007
【図５】
2008149709.tif 000008
【図６】
2008149709.tif 000009
【図７】
2008149709.tif 000010
【図８】
2008149709.tif 000011
【図９】
2008149709.tif 000012
【図１０】
2008149709.tif 000013
【図１１】
2008149709.tif 000014
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
撮影手段と、
前記撮影手段によって撮影された被写体の画像を取得する画像取得手段と、
前記画像取得手段によって取得された前記画像が、複数の撮影モードのいずれに適合した画像であるかを取得した前記画像の特徴点によって判定する撮影モード判定手段とを備え、
前記撮影手段は、前記撮影モード判定手段によって適合していると判定された撮影モードにより被写体を撮影することを特徴とする携帯端末。
【請求項２】
前記撮影モード判定手段によって適合していると判定された撮影モードに、前記撮影手段の撮影モードを切り換える第１撮影モード切換手段を備えることを特徴とする請求項１に記載の携帯端末。
【請求項３】
前記撮影モード判定手段は、前記画像が前記複数の撮影モードのいずれに適合するかを、第２撮影モード切換手段によって順番に切り換えられる複数の撮影モードについて順次判定しており、
前記第２撮影モード切換手段は、前記撮影モード判定手段によって適合すると判定された撮影モードで、前記第２撮影モード切換手段による前記撮影手段の撮影モードの切り換えを停止することを特徴とする請求項１に記載の携帯端末。
【請求項４】
前記画像取得手段は、前記第２撮影モード切換手段によって撮影モードが切り換えられた前記撮影手段が撮影した被写体の画像を取得することを特徴とする請求項３に記載の携帯端末。
【請求項５】
前記画像取得手段によって取得された前記画像から、該画像に適合する撮影モードを判定するために用いる所定の認証範囲を切り出す認証範囲切出し手段を備えることを特徴とする請求項１〜４のいずれか１項に記載の携帯端末。
【請求項６】
前記画像取得手段によって取得された前記画像に対し、前記各撮影モードに対応したモードの後処理を行う撮影後処理手段と、
前記撮影モード判定手段によって適合していると判定された撮影モードに対応する後処理モードに、前記撮影後処理手段を切り換える撮影後処理切換手段とを備えていることを特徴とする請求項１〜５のいずれか１項に記載の携帯端末。
【請求項７】
前記撮影モード判定手段によって適合していると判定された撮影モードの種類をユーザに報知する報知手段を備えることを特徴とする請求項１〜６のいずれか１項に記載の携帯端末。
【請求項８】
前記撮影モード判定手段によって適合していると判定された撮影モードを記憶する記憶部を備え、
前記撮影手段は、次回撮影時に、前記記憶部に記憶された前記撮影モードにより被写体を撮影することを特徴とする請求項１〜７のいずれか１項に記載の携帯端末。
【請求項９】
複数の撮影モードを有し、該複数の撮影モードから選択した、１つの撮影モードによって被写体を撮影する撮影手段によって撮影された被写体の画像を取得する画像取得工程と、
前記画像取得工程において取得された前記画像が、前記複数の撮影モードのいずれに適合した画像であるかを取得した前記画像の特徴点によって判定する撮影モード判定工程とを含んでおり、
前記撮影モード判定工程において適合していると判定された撮影モードにしたがい、前記撮影手段によって被写体を撮影することを特徴とする携帯端末の制御方法。
【請求項１０】
請求項１〜８のいずれか１項に記載の携帯端末の前記各手段としてコンピュータを機能させるための携帯端末の制御プログラム。
【請求項１１】
請求項１０に記載の携帯端末の制御プログラムを記録したコンピュータ読取り可能な記録媒体。
【国際調査報告】
2008149709.tif 000015
2008149709.tif 000016